(57)【要約】      （修正有）【課題】高いクッション性を有するとともに、使用の際、板床上に敷設したマットがずれたり移動したりすることを低減することができるマットを提供する。【解決手段】マット１は、床面上に敷設されるマットであって、該マットは緩衝性を有するとともに、前記マットのマット体２は、底面部位が上面部位よりも高い柔軟性を有する。またマット体は、エチレン−酢酸ビニル共重合樹脂にて形成され、上部クッション層と、該上部クッション層よりも高い柔軟性を有する下部クッション層とからなり、上部クッション層と下部クッション層とが接着剤を介して積層されている。さらに、前記マット体の上面にクッション層１０および植毛層１１を積層してもよい。【選択図】図５
0003181700.tif 000002
【実用新案登録請求の範囲】
【請求項１】
床面上に敷設されるマットであって、該マットは緩衝性を有するとともに、前記マットのマット体は、底面部位が上面部位よりも高い柔軟性を有することを特徴とするマット。
【請求項２】
前記マット体は、エチレン−酢酸ビニル共重合樹脂にて形成されている請求項１記載のマット。
【請求項３】
前記マット体は、上部クッション層と、該上部クッション層よりも高い柔軟性を有する下部クッション層とからなり、上部クッション層と下部クッション層とが接着剤層を介して積層されている請求項１または２に記載のマット。
【請求項４】
前記マット体の上面にクッション層を積層した請求項１乃至３のいずれか１項に記載のマット。
【請求項５】
前記クッション層の上面に植毛層を積層した請求項４記載のマット。
【考案の詳細な説明】
【技術分野】
【０００１】  本考案は、  床面上に敷設されるマットであって、特に、高いクッション性と優れた滑り止め特性を発揮することができるマットに関する。
【背景技術】
【０００２】  一般家庭や公共施設等の床面上には、クッション性を有するマットが敷設されている。従来のマットは、ウレタン等のクッション性を有する素材で形成されており、板床全面を覆う大形のものや、任意の範囲に用いられるジョイントタイプのマットがある。【０００３】  また、これらのマットに関連する従来技術として、ジョイントマットでありながら、連結部分を隠すことができ、更には見栄えの良い高級感のあるマットであると共に温かで肌触りのよいジョイントマットがある（例えば特許文献１参照）。【０００４】  上掲特許文献１のジョイントマットは、多数のマットを縦横方向に連設可能なように四方の辺部にはジョイント部である連設部を設け、四方にはそれぞれ多数の凹凸部を有し、これと同様の凹凸部を四方に有する他のジョイントマットがそれぞれの対応するジョイント部の部分において嵌合する。更に、ジョイントマットの表面には毛足の長い繊維を一面に配設することを特徴とする。
【先行技術文献】
【特許文献】
【０００５】
【特許文献１】実用新案登録第３１５９７９４号公報（実用新案登録請求の範囲等）
【考案の概要】
【考案が解決しようとする課題】
【０００６】  しかしながら、従来の一般的なマットや上掲特許文献１のジョイントマットにおいては、クッション部分が一層にて形成されている場合が多く、高い緩衝性は望めなかった。さらに、フローリング等の板床上に敷設した場合、マット自体がずれたり移動したりして使用勝手や安全性が低下するという問題も生じた。【０００７】  そこで本考案の目的は上記問題点を解消して、高いクッション性を有するとともに、使用の際、板床上に敷設したマットがずれたり移動したりすることを低減することができるマットを提供することにある。
【課題を解決するための手段】
【０００８】  上記課題を解決するために、本考案のマットは、床面上に敷設されるマットであって、該マットは緩衝性を有するとともに、前記マットのマット体は、底面部位が上面部位よりも高い柔軟性を有することを特徴とする。【０００９】  また前記マット体は、エチレン−酢酸ビニル共重合樹脂にて形成されている。【００１０】  また前記マット体は、上部クッション層と、該上部クッション層よりも高い柔軟性を有する下部クッション層とからなり、上部クッション層と下部クッション層とが接着剤層を介して積層されている。【００１１】  また、前記マット体の上面にクッション層を積層した。【００１２】  さらに、前記クッション層の上面に植毛層を積層した。
【考案の効果】
【００１３】  本考案によれば、マットは緩衝性を有する素材からなるマット体であり、前記マット体の底面部位が上面部位よりも高い柔軟性を有するとともに、マット体をエチレン−酢酸ビニル共重合樹脂（ＥＶＡ）にて形成することで、マット体を板床面に敷設した際、高い滑り止め特性を発揮することができる。【００１４】  また上面部位が適度な硬度を有するため、上面にクッション層を積層した際、接合強度を高めることができる。【００１５】  さらに、クッション層の上面に植毛層を積層したことにより、使用の際の肌触りを向上させることができる。
【図面の簡単な説明】
【００１６】
【図１】本考案の一実施例、マットの拡大図である。
【図２】他の一実施例、本考案のマットの拡大図である。
【図３】前記マットにクッション層と植毛層を積層した状態の拡大図である。
【図４】本考案のマットの斜視図である。
【図５】ジョイントマットとした本考案のマットの斜視図である。
【考案を実施するための形態】
【００１７】    本考案のマットは、高いクッション性を有するとともに、使用の際、板床上に敷設したマットがずれたり移動したりすることを低減することを特徴とする。
以下、本考案におけるマットの実施の形態を図１乃至図５に基づいて説明する。
【００１８】  本考案のマット１は、緩衝性を有する素材からなり、一般家庭はもとより、公共施設等の床面上に敷設されるものである。また特に、前記マット１のマット体２は、図１に示すように、底面部位４が上面部位３よりも高い柔軟性を有することを特徴とする。
【００１９】  前記マット体２は、適宜硬度を有する上面部位３と、上面部位３よりも高い柔軟性（クッション性）を有する底面部位４が一体的に形成されている。前記底面部位４は、板面上に配設した際、高い滑り止め効果を発揮するという特性がある。なお、前記上面部位３と底面部位４の割合（厚み）は特に限定されるものではない。
【００２０】  また特に、前記マット体２は、エチレン−酢酸ビニル共重合樹脂（ＥＶＡ）にて形成することが好ましい。エチレン−酢酸ビニル共重合樹脂（ＥＶＡ）は、通常のポリエチレンより高い柔軟性、弾力性、及び滑り止め特性を有し、広い範囲に使用される熱可塑性合成樹脂である。
【００２１】  前記エチレン−酢酸ビニル共重合樹脂（ＥＶＡ）は、エチレンと酢酸ビニルの配合を調整することで耐衝撃性や弾性を適宜変更することができる。エチレンと酢酸ビニルの配合を適宜調整することにより、一枚のマット体２に硬度の異なる上面部位３と底面部位４を形成することができる。
【００２２】  また他の好適例として、図２に示すように本考案のマット体２は、上部クッション層５と、該上部クッション層５よりも高い柔軟性を有する下部クッション層６とを接着剤７を介して積層して形成してもよい。かかる構成とすることで、一枚のマット体２に、硬度の異なる上部クッション層５と下部クッション層６を形成することができる。
【００２３】  また他の好適例として、図３に示すように本考案のマット体２の上面にクッション層１０を積層してもよい。クッション層１０はウレタン合成樹脂等で形成することができるが、特に、緩衝性の優れた低反発ウレタンで形成することが好ましい。
【００２４】  前記クッション層１０は、マット体２の上面にであって、適宜硬度を有する上面部位３の上面に接着剤等を介して接合されている。そのため、マット体２とクッション層１０との接合強度を高めることができる。
【００２５】  さらに、前記クッション層１０の上面に植毛層１１を積層してもよい。植毛層１１は、基材１２と、基材１２の上面に形成された植毛部１３とからなり、前記基材１２の底面を前記クッション層１０の上面に接合することにより形成することができる。クッション層１０の上面に植毛層１１を積層することで、使用の際の肌触りを向上させることができる。
【００２６】  図４は、本考案のマット１を、台所で使用するキッチンマット２０や風呂の脱衣場等で使用するバスマット２０として使用した状態である。本考案のマット１をキッチンマットやバスマットとして使用する際、汎用のマットと同じサイズの長方形に形成される。本考案のマット１をキッチンマットやバスマットとして使用することにより、柔軟性を有する底面部位４が床面と接し、従来のマットに比べて滑り止め特性が高まり、安定性や安全性を向上させることができる。
【００２７】  図５は、本考案のマット１をジョイントマット３０として使用した状態を示す。図示するジョイントマット３０は、マット体２の上面にクッション層１０と植毛層１１を積層したものである。図示するジョイントマット３０は、周囲に凹凸部３１が形成されており、複数のマットを任意に接合でき、使用範囲を拡大させることが可能となる。
【００２８】  上述の構造により、マット体２の底面部位４が上面部位３よりも高い柔軟性を有するとともに、マット体２をエチレン−酢酸ビニル共重合樹脂（ＥＶＡ）にて形成することで、マット体２を板床面に敷設した際、高い滑り止め特性を発揮することができる。
【００２９】  また上面部位３が適度な硬度を有するため、上面にクッション層１０を積層した際、接合強度を高めることができる。さらに、クッション層１０の上面に植毛層１１を積層したことにより、使用の際の肌触りを向上させることができる。
【００３０】  なお、本考案のマット１は、マット体２を単独で使用したもの、マット体２の上面にクッション層１０を積層したもの、マット体２の上面に植毛層１１を積層したもの、さらにはマット体２の上面にクッション層１０と植毛層１１を積層したもの等を、キッチンマット、バスマット、玄関マット、フロアーマット、ジョイントマット等に広範囲に使用することができる。
【符号の説明】
【００３１】１    マット
２    マット体
３    上面部位
４    下面部位
５    上層クッション層
６    下層クッション層
７    接着剤層
１０  クッション層
１１  植毛層
１２  基材
１３  植毛部
２０  マット
３０  ジョイントマット
３１  凹凸部
【図１】
0003181700.tif 000003
【図２】
0003181700.tif 000004
【図３】
0003181700.tif 000005
【図４】
0003181700.tif 000006
【図５】
0003181700.tif 000007